(57)【要約】【課題】表示画面の略中心から周辺に向けて、輝度を低下させる傾斜ゲインにより、明るさを維持したまま電力を削減する省電力化技術が知られている。しかし、実使用を考えた場合、表示モードに応じて、均一色のブランキングが表示される。そのとき、ブランキングに輝度変化が生じると非常に輝度変化が目立つため、画質劣化となっていた。【解決手段】入力映像信号が表示される範囲を検出する表示検出信号を用い、ブランキング部分の傾斜ゲインを抑制する。これによってブランキング部分の画質劣化を抑制することができる。【選択図】図１
2007104377.tif 000002
【特許請求の範囲】
【請求項１】
調光可能な表示画面を有する映像信号表示装置において、
表示画面の略中心から周辺に向けて、光量を低下させる補正傾斜ゲインがあり、
入力映像信号による表示画面の光量が変化するかどうかで、補正傾斜ゲインの値が異なること
を特徴とした映像信号表示装置。
【請求項２】
前記映像信号表示装置の表示画面において、
入力映像信号に応じて、光量が変化する表示部分では、表示画面の略中心から周辺に向けて光量が低下し、
入力映像信号によらず、光量が一定の表示部分では、表示画面の略中心から周辺に向けて光量が低下しない
ことを特徴とした請求項１の映像信号表示装置。
【請求項３】
光を発する表示画面を有する映像信号表示装置において、
表示画面の略中心から周辺に向けて、光量が低下する傾斜ゲインを生成する傾斜ゲイン生成部と、
表示画面に入力映像信号が表示される範囲を検出する表示検出信号を生成する表示検出信号生成部と、
傾斜ゲインおよび表示検出信号から、表示画面の光量が補正される補正傾斜ゲインを生成する補正レベル生成部と、
補正傾斜ゲインに応じて、入力映像信号を出力映像信号に補正する補正処理部と、
を備えた映像信号表示装置。
【請求項４】
前記補正レベル生成部は、
入力映像信号によらず、光量が変化しない画素の傾斜ゲインを0にすること
を特徴とした請求項３記載の映像信号表示装置。
【請求項５】
前記表示検出信号生成部は、
入力映像信号の表示範囲を決める表示モードに基づき表示検出信号を算出すること
を特徴とした請求項３記載の映像信号表示装置。
【請求項６】
前記表示検出信号生成部は、入力映像信号が無いというブランキング情報に基づき表示検出信号を算出することを
特徴とした請求項３記載の映像信号表示装置。
【請求項７】
前記表示検出信号生成部は、入力映像信号に変化が無いという無変化情報に基づき表示検出信号を算出することを
特徴とした請求項３記載の映像信号表示装置。
【請求項８】
入力映像信号から特徴量が抽出される特徴量抽出部と、
特徴量に応じて、傾斜ゲインが生成される動的傾斜ゲイン生成部とを
有することを特徴とした請求項１〜７の何れかに記載の映像信号表示装置。
【請求項９】
前記映像信号表示装置の表示画面が、
プラズマディスプレイまたは、有機ELまたはFEDの自発光素子で構成されている
ことを特徴とする請求項１〜８の何れかに記載の映像信号表示装置。
【発明の詳細な説明】
【技術分野】
【０００１】
本発明は、自ら光を発する自発光型で、調光可能な表示画面を有する映像信号表示装置に関する。
【背景技術】
【０００２】
近年、環境意識の向上に伴い、電気機器にとって、消費電力を削減することが重要となっている。映像信号を表示する映像表示装置においても、消費電力を削減することが重要な課題となっている。
【０００３】
ヒトは表示画面の中心部を注視する場合が多いため、画面中心部の明るさを維持しつつ、比較的注視しない画面周辺部の明るさを低下させることで、表示画面の明るさ感を維持したまま、消費電力を削減する手法が知られている。その手法は、表示画面の略中心から周辺に向けて輝度が低下する傾斜ゲインを用いて、入力映像信号を補正することで、省電力化を実現している。その手法の代表として特許文献1がある。
【０００４】
さらに、入力映像信号に応じて、傾斜ゲインの傾斜量を動的に制御し、更なる省電力効果を得る手法として特許文献２および特許文献３がある。
【０００５】
従来技術の代表例として、特許文献２に記載された図を、図１２に示す。
【特許文献１】特開2002−55675号公報
【特許文献２】特開2002−116728号公報
【特許文献３】特開2002−72951号公報
【発明の開示】
【発明が解決しようとする課題】
【０００６】
しかしながら、次の課題がある。
【０００７】
映像信号表示装置の表示画面のアスペクト比と入力映像信号のアスペクト比の違いから表示画面に入力映像信号によらず、光量が変化しないブランキング部分が表示される場合がある。ブランキング部分は、回路規模を小さくするために、均一色である場合が多い。従来技術では、表示画面の略中心からの距離に応じて、輝度を低下させる傾斜ゲインが生成されるため、均一色のブランキング部分が処理されると、中心から周辺に向けて輝度が低下する場合がある。このとき、ヒトは均一色であるはずのブランキングに輝度変化を感じると、非常に不自然に感じるため、画質劣化が生じていた。
【０００８】
たとえば、図２のように、表示画面のアスペクト比が１６：９の映像表示機器に対して、入力映像信号のアスペクト比は４：３である場合、表示画面の左右両端にブランキング1７０が表示される。このとき、均一色のブランキングに輝度変化が生じるため、不自然に感じるため、画質劣化になっていた。
【課題を解決するための手段】
【０００９】
第１の発明に係る映像信号表示装置は、
光を発する表示画面を有する映像信号表示装置において、
表示画面の略中心から周辺に向けて、光量が低下する傾斜ゲインを生成する傾斜ゲイン生成部と、
表示画面に入力映像信号が表示される範囲を検出する表示検出信号を生成する表示検出信号生成部と、
傾斜ゲインおよび表示検出信号から、表示画面の光量が補正される補正傾斜ゲインを生成する補正レベル生成部と、
補正傾斜ゲインに応じて、入力映像信号を出力映像信号に補正する補正処理部と、
を備えた映像信号表示装置である。
【００１０】
この構成により、表示検出信号に応じて、入力映像信号がある部分の省電力効果をさげることなく、入力映像信号がないブランキング部分にかかる輝度傾斜を弱めることが出来る。このため、画質劣化を抑制することができる。
【００１１】
第２の発明に係る映像信号表示装置は、
前記補正レベル生成部は、
入力映像信号によらず、光量が変化しない画素の傾斜ゲインを0にすること
を特徴とした映像信号表示装置である。
【００１２】
この構成により、入力映像信号に応じて、光量が変化するかどうかを判定するセレクタを用いることで、補正レベル生成部の回路規模を小さくすることができる。
【００１３】
第３の発明に係る映像信号表示装置は、
前記表示検出信号生成部は、
入力映像信号の表示範囲を決める表示モードに基づき表示検出信号を算出すること
を特徴とした映像信号表示装置である。
【００１４】
これにより、入力映像信号が表示される範囲を容易に特定することが出来る。
【００１５】
第４の発明に係る映像信号表示装置は、
前記表示検出信号生成部は、入力映像信号に変化が無いという無変化情報に基づき表示検出信号を算出することを
特徴とした映像信号表示装置である。
【００１６】
これにより、ヒトの感度が高い無変化部分にかかる輝度傾斜を弱めることで、画質劣化を抑制することができる。
【００１７】
第５の発明に係る映像信号表示装置は、
入力映像信号から特徴量が抽出される特徴量抽出部と、
特徴量に応じて、傾斜ゲインが生成される動的傾斜ゲイン生成部とを
有することを特徴とした請求項１〜７の何れかに記載の映像信号表示装置である。
【００１８】
この構成により、入力映像信号に応じて、輝度傾斜を制御できるため、更なる省電力効果を得ることができる。
【発明の効果】
【００１９】
ブランキング部分に、表示画面の略中心から周辺部に向けて生じる輝度変化を抑制し、画質劣化を防止することができる。
【発明を実施するための最良の形態】
【００２０】
以下、本発明の実施の形態について、図面を参照しながら説明する。
【００２１】
（実施の形態１）
実施の形態１では、図１を基に説明する。まず構成について述べ、次に構成要素の動作について詳細に説明し、また、具体的な数値をあげて、説明する。
【００２２】
映像信号表示装置６００に入力される入力映像信号および表示モードについて説明する。
【００２３】
入力映像信号は、チューナ３００から出力された映像信号であり、位置情報および明るさ情報を有している。ここでは、入力映像信号をRGBとする。また、RGBに限らず、YCｂCr等でも良い。
【００２４】
表示モードとは、表示画面のどの範囲に入力映像信号を表示するかを決めるモードである。具体的には、ワイドモード、ズームモード、４：３モードなどがあり、映像信号表示装置の利用者が自由に切り替えられる場合が多く、映像信号表示装置を操作する操作部４００に、「表示モード」「画面表示」「アスペクト比」「画面サイズ」などの名前でボタンが装備され、ボタン操作でモードを切り替えることができる。
【００２５】
具体的には、図２のように、１６：９の表示画面に４：３の入力映像信号を画面中心部に表示し、両端部分をブランキングとする４：３表示モード。また、図３（a）のような、主画面(左側)と副画面(右側)を表示するために、副画面の上下部分にブランキングを表示するPOP表示モード(PictureOutPicture)や、図３（b）のように、２画面表示で副画面(右側)の入力映像信号のアスペクト比を保つため、副画面の上下部分をブランキングとする２画面表示モードの副画面４：３モードなどである。
【００２６】
映像信号表示装置６００は、大きく分けて、映像信号処理部１００と、映像信号表示部２００で構成されている。
【００２７】
映像信号処理部１００は、４つの部で構成されており、表示画面の略中心から周辺に向けて輝度が低下する傾斜ゲインを生成する傾斜ゲイン生成部１１０と、表示モードに応じて、入力映像信号の有無を検出する表示検出信号を生成する表示検出信号生成部１２０と、表示検出信号に応じて傾斜ゲインを補正する補正レベル生成部１３０と、補正された傾斜ゲイン(以下、補正傾斜ゲイン)に応じて、入力映像信号の信号レベルを補正し、出力映像信号を出力する信号レベル補正部１４０から成る。
【００２８】
映像信号表示部２００は、映像信号処理部１００で出力された出力映像信号を表示画面に表示する部である。
【００２９】
入力映像信号および、出力映像信号をそれぞれInおよびOutとし、表示画面の位置iに対するR，G，Bの信号レベルを(In_i_R,In_i_G,In_i_B),(Out_i_R,Out_i_G,Out_i_B)と表記し、また、単純化のために、In_i,Out_iという表記を併記する。
【００３０】
以下に、各構成要素について詳細に説明する。
【００３１】
傾斜ゲイン生成部１１０は、表示画面の略中心から周辺に向けて、輝度が低下する傾斜ゲインを生成する部である。
【００３２】
より詳細に説明するために、図４を参照する。図４（a）は、映像信号表示装置の表示画面を表し、画面の中心から周辺に向けて、輝度が低下している様子を示した空間形状の図である。図４(a)記載の等高線は、同じ傾斜ゲインの値で形成されている。また、図４（b）は、横軸に距離を空間形状に応じて補正した距離（以下、傾斜距離）であり、(数１)で表される。縦軸に表示画面に入力される信号レベルを示した図である。
【００３３】
このとき、空間形状を、画面中心を原点とした円形とし、画面内のある点Pに対する傾斜ゲインR_pを生成する場合を説明する。位置iにおけるｘ座標とｙ座標を(x_i、y_i)と表す。
【００３４】
まず、図４（a）の画面中心点Q(x_q、y_q)と点P(x_p、y_p)の傾斜距離r_pを求める。傾斜距離r_iとは、距離を空間形状に応じて補正した値であり、関数r_i＝r(x_i,y_i)で表される。図４では、空間形状が円形なので、傾斜距離r_pは（数１）で表される。
【００３５】
【数１】
2007104377.tif 000003
【００３６】
次に、傾斜距離r_pから傾斜ゲインR_pを求める。傾斜ゲインは傾斜距離rの関数R_i＝R(r_i)で表される。ここでは、ヒトが輝度の低下を検知し難いように、傾斜ゲインが滑らかに変化するガウス関数を用いる。
【００３７】
【数２】
2007104377.tif 000004
【００３８】
この傾斜距離と傾斜ゲインの関係を図４（ｃ）に示す。
【００３９】
これにより、ある点Pに対する傾斜ゲインR_pを生成することができた。同様に全ての点に対して、傾斜ゲインを生成する。
【００４０】
表示検出信号生成部１２０は、操作部４００から出力された表示モードに応じて、位置iごとに、入力映像信号の有無を表示検出信号flag_iとして出力する部である。
【００４１】
サイドブランキング１７０は、入力映像信号によらず、光量が変化しない表示部分であり、そのときの表示検出信号をflag_i＝１とする。逆に、その他の表示部分は入力映像信号に応じて、光量が変化する表示部分であり、そのときの表示検出信号をflag_i＝０とする。
【００４２】
補正レベル生成部１３０は、表示検出信号flag_iに応じて、傾斜ゲイン生成部１１０で出力された傾斜ゲインR_iを補正し、入力映像信号を補正する補正傾斜ゲインrevR_iを生成する部である。
【００４３】
入力映像信号によらず、光量が変化しない表示部分において、画面の略中心から周辺に輝度を低下させる傾斜ゲインで補正する、輝度変化が非常に目立ち画質劣化となるため、入力映像信号によらず、光量が変化しない位置iについて、傾斜ゲインを小さくするために補正した補正傾斜ゲインrevR_iを（数３）から求める。
【００４４】
【数３】
2007104377.tif 000005
【００４５】
Lは0〜１の定数であり、ブランキングの輝度低下を抑制する定数である。Lが0なら常にrevR_i＝0となり輝度は低下しない、Lが１なら常にrevR_i＝R_iとなる。サイドブランキングがある表示画面において、傾斜距離に対する表示画面に入力される信号レベルの関係をL＝0.１の場合を例にとって図５（a）,（b）に示す。
【００４６】
信号レベル補正部１４０は、補正傾斜ゲインに応じて、入力映像信号を出力映像信号に補正する部である。
【００４７】
たとえば、入力映像信号の信号レベルと補正傾斜ゲインの積で入力信号レベルに対し、低下量を求め、その低下量を入力映像信号から減算し、出力映像信号の信号レベルを得る。つまり（数４）で表される。
【００４８】
【数４】
2007104377.tif 000006
【００４９】
映像信号表示部２００は、自ら光を発する自発光型で、調光可能な表示画面を有し、出力映像信号に応じて、位置iごとに光量を調節することができる。代表例として、2枚のガラスの間にヘリウムやネオンなどの高圧のガスを封入し、そこに電圧をかけることによって発光させるプラズマディスプレイ、電圧をかけると発光する有機物質を利用した有機EL、電子銃を利用したCRT(CathodeRayTube)および、平面状の電子放出源(エミッター)から真空中に電子を放ち、蛍光体にぶつけて発光させるFED(FieldEmissionDisplay)がある。
【００５０】
以下に、実施の形態１について、具体的な数値をあげて説明する。
【００５１】
入力映像信号の画素数を縦480横640pixel、表示画面の画素数を縦480横852pixelとし、表示モードを４：３表示モードで表示し、空間形状を円形とした場合を説明する。ある点Pの座標を(１00、300)とし、その信号レベルを0〜255正規化で表し、(In_i_R,In_i_G,In_i_B)＝(255,128,0)としたとき、出力映像信号のレベルを求める。表示画面左上の点を(0，0)とする。
【００５２】
傾斜ゲイン生成部１１０は、まず、傾斜距離を求める。中心点Qは、表示画面の画素数の半分(426，240)であり、（数１）から点Pの傾斜距離を算出する。
【００５３】
【数５】
2007104377.tif 000007
【００５４】
次に（数２）から補正ゲインを求める。
【００５５】
最大輝度低下量KをK＝0.5と定め、傾斜距離に対する輝度低下量の形状を規定する定数σをσ＝0.35と定める。傾斜距離の最大値r_maxは、この場合、表示画面4隅と中心の距離なので（数６）になる。
【００５６】
【数６】
2007104377.tif 000008
【００５７】
表示検出信号生成部１２０は、
図２のように、表示画面の画像サイズが縦480横852Pixelの映像表示装置に、縦480横640Pixelの入力映像信号が入力され、表示モードが４：３モードの場合、入力映像信号の表示部分である画素(640x480画素の画素i)に対する表示検出信号はflag_i＝0となる。入力映像信号の表示部分でない画素(両サイドのブランキング170(106ｘ480画素の画素i)に対する表示検出信号はflag_i＝１となる。
【００５８】
点Pは、サイドブランキングであるため、flag_p＝１となり、
輝度低下を抑制する補正係数がL＝0.2の場合、補正レベルは、
【００５９】
【数７】
2007104377.tif 000009
【００６０】
となる。
【００６１】
最後に、信号レベル補正部１４０は、
入力映像信号のレベルが(In_p_R,In_p_G,In_p_B)＝(255,128,0)なので、
出力映像信号のレベルは、（数４）よりR,G,Bそれぞれ、
【００６２】
【数８】
2007104377.tif 000010
【００６３】
となり、(Out_p_R,Out_p_G,Out_p_B)＝(233,117,0)となる。
【００６４】
全ての画素において同様に処理することで、出力映像信号を得ることが出来る。
【００６５】
これにより、ブランキング部分に処理される傾斜ゲインを弱め、画質が劣化することを抑制する。
【００６６】
以上、一例を示したが、
図６の補正レベル生成部１３１において、傾斜ゲインの有無を選択するセレクタを用いて、以下の条件式で補正レベルを求めてもよい。
【００６７】
【数９】
2007104377.tif 000011
【００６８】
これにより、係数Lの乗算を削減できるため、補正レベル生成部１３１の回路規模を小さくすることができる。
【００６９】
また、表示検出信号を２値(0／1)で説明したが、多値になってもよい。
【００７０】
表示検出信号がN値の場合、補正レベル生成部１３１は、
【００７１】
【数１０】
2007104377.tif 000012
【００７２】
としてもよい(L_0〜L_nは定数)。
【００７３】
これにより、表示検出の種類に応じて、細かく制御することが出来るために、画質を維持しつつ、電力を削減することが出来る。
【００７４】
（実施の形態２）
実施の形態２を図７に示し、実施の形態１との相違点を説明する。
【００７５】
実施の形態１との相違点は、表示検出信号生成部１２０の代わりに、ブランキング検出部１２１を用いる点である。
【００７６】
ブランキング検出部１２１は、表示画面に、入力映像信号によらず、光量が変化しないブランキングを検出し、ブランキング表示部分の位置iの表示検出信号を1(flag_i＝1)とし、それ以外の位置iの場合、表示検出信号を0(flag_i＝0)とする。
【００７７】
ブランキング検出方法は、入力映像信号の画像サイズおよび表示画面の画像サイズの差からブランキング部分を検出する。具体的に、入力映像信号の画像サイズが縦480pixel、横640pixel表示画面の画像サイズ縦480pixel、横852pixelの場合、入力映像信号の中心と、表示画面の中心を合わせ、入力映像信号がない両端部分をサイドブランキングとする。
【００７８】
また、映画コンテンツに代表されるように、入力信号レベルが０(黒)であると判定し、上下帯をブランキング部分として検出しても良い。
【００７９】
この構成により、操作部からの表示モードが無くても、実施の形態１と同様の効果を得ることが出来る。
【００８０】
（実施の形態３）
実施の形態３を図８に示し、実施の形態１との相違点を説明する。
【００８１】
実施の形態１との相違点は、表示検出信号生成部１２０の代わりに、無変化部分検出部１２２を用いる点である。
【００８２】
無変化部分検出部１２２は、表示画面に入力映像信号が時間的に変化しない表示部分を検出するために、入力映像信号を入力し、位置iごとに無変化の時間を記憶する記憶部（図示しない）を有し、フレーム毎に、変化がある場合は、記憶されている値を０(クリア)にし、変化が無い場合は、記憶されている値を１加算する。記憶されている値がある一定値以上の場合は、表示検出信号を1(flag_i＝1)とし、それ以外の場合、表示検出信号を0(flag_i＝0)とする。
【００８３】
この構成により、パソコンの画面や、映画コンテンツの上下帯やサイドブランキングのように、変化のない部分において、表示画面の略中心から周辺に向けて輝度が低下する輝度変化による画質劣化を抑制する。
【００８４】
また、記録部に記録されている値がある一定値を境に、表示検出信号が0から１に変化すると、輝度が急激に変化し、チラツキが発生し画質劣化になる場合がある。このため、表示検出信号を多値にすることで、表示画面が急激に変化を抑制し、画質を安定させる制御をしても良い。
【００８５】
（実施の形態４）
実施の形態４を図９に示し、実施の形態１との相違点を説明する。
【００８６】
実施の形態１との相違点は、定数の最大輝度低下量Kが動的な動的最大輝度低下量Eになった点である。入力映像信号に応じて傾斜ゲインを生成することが出来るため、画質を維持しつつ、更に電力を削減することが出来る。
【００８７】
フレーム毎に入力映像信号から、入力映像信号の特徴量Cを抽出する特徴量抽出部１５０と、傾斜ゲイン生成部１１０の代わりに、特徴量Cを用いて、そのフレームに応じた傾斜ゲインを出力する動的傾斜ゲイン生成部１１１を用いる。
【００８８】
特徴量抽出部１５０は、特徴量として周波数帯域成分を出力する。周波数帯域成分とは、入力映像信号の特定領域の周波数成分の二乗和（パワー）である。
【００８９】
まず、入力映像信号から入力輝度信号(InY)を下式から求める。
【００９０】
【数１１】
2007104377.tif 000013
【００９１】
次に、入力輝度信号InYから周波数帯域成分を求めるために、入力信号InYをフーリエ変換し、F(w)を求める。周波数帯域０〜１ｃｐｄにおけるパワーを下式から求める。
【００９２】
【数１２】
2007104377.tif 000014
【００９３】
ここで、ｃｐｄ（ｃｙｃｌｅ  ｐｅｒ  ｄｅｇｒｅｅ）は空間周波数である。例えば、表示画面の水平画素数が「１０２４」であり、視角が３３度であるとき、空間周波数の最高値は約１５．５ｃｐｄとなる。
【００９４】
なお、周波数帯域成分を求めるのに、ローパスフィルタを用いても良い。これにより、フーリエ変換を用いる場合よりも回路規模を削減できる。
【００９５】
また、フレーム毎に複数の特徴量を抽出しても良い。さらに、周波数帯域成分だけでなく、平均輝度や平均彩度、ヒストグラムを抽出しても良い。
【００９６】
動的傾斜ゲイン生成部１１１は、特徴量抽出部１５０で抽出された特徴量Cに応じて、フレーム毎に動的に傾斜ゲインを生成し、入力画像に応じた傾斜ゲインを生成する。
【００９７】
実施の形態１と同様に、たとえば、表示画面の中心点Qから周辺部に向けて、空間形状を円形とし、面内のある点Pの座標(x_p、y_p)に対する傾斜ゲインR_pの生成する場合を説明する。
【００９８】
まず、表示画面の中心点Qから点Pの傾斜距離r_pを、実施の形態１と同様に求める。
【００９９】
次に、特徴量抽出部１５０で求めた特徴量Cに応じた動的最大輝度低下量を求める。その際、主観評価実験により画質劣化が検知できない範囲で動的最大輝度低下量Eを求める。たとえば、特徴量Cと動的最大輝度低下量Eをテーブル図１０のように対応付ける。
【０１００】
最後に、傾斜距離rおよび動的最大輝度低下量Eから傾斜ゲインRを求める。一般にR_i＝R(r_i)と表され、次式で表す。
【０１０１】
【数１３】
2007104377.tif 000015
【０１０２】
（数４）との変更点は、最大輝度低下量Kが特徴量に応じた動的最大輝度低下量Eに変更した点である。これにより、入力映像信号に応じた処理を行うことが出来るため、画質を維持しつつ、更に電力を削減することが出来る。また上記に限らず、特許文献２記載のように平均輝度レベルを用いて動的最大輝度低下量Eを生成してもよい。
【０１０３】
（実施の形態５）
実施の形態５を図１１に示し、まず構成について述べ、次に構成要素の動作について詳細に説明する。
【０１０４】
映像信号表示装置は、大きく分けて、映像信号処理部１００と、映像信号表示部２００（図示しない）で構成されている。
【０１０５】
映像信号処理部１００は、４つの部で構成されており、表示画面の略中心から周辺に向けて輝度が低下する傾斜ゲインを生成する傾斜ゲイン生成部１１０と、傾斜ゲインに応じて、入力映像信号の信号レベルを補正し、補正入力映像信号を出力する信号レベル補正部１４０と、表示モードに応じて、補正入力映像信号が表示画面の表示範囲に収まるように、補正入力映像信号の画像サイズを拡大あるいは縮小する拡大縮小変換部１８０と、ブランキング部分にブランキングの信号レベルが入力され、拡大縮小された補正入力映像信号と合成または上書きするブランキング生成部１９０とからなる。
【０１０６】
映像信号表示部２００は、上記映像信号処理部１００で出力された映像信号を表示画面に表示する。
【０１０７】
以下に、各構成要素について説明する。
【０１０８】
傾斜ゲイン生成部１１０は、表示画面の略中心から周辺に向けて、輝度を低下させるための傾斜ゲインR_iを生成する。実施の形態１記載と同じである。
【０１０９】
信号レベル補正部１４０は、傾斜ゲイン生成部１１０で生成した傾斜ゲインに応じて、下式のように、入力映像信号を補正入力映像信号RevIn_iに補正する。
【０１１０】
【数１４】
2007104377.tif 000016
【０１１１】
拡大縮小変換部１８０は、表示モードに応じて、補正入力映像信号が表示画面の表示範囲に収まるように、補正入力映像信号の画像サイズを拡大あるいは縮小する。
【０１１２】
たとえば、表示モードがPOPモードであり、補正入力映像信号が主画面と副画面共に縦480pixel、横640pixel主画面の表示画面が縦360pixel、横480pixel副画面の表示画面が縦120pixel、横160pixelの場合、主画面および副画面の補正入力映像信号の画像サイズをそれぞれ、3／4および1／4に縮小する。縮小アルゴリズムとして、バイキュービックやニアレストネイバーなどを用いてもよい。
【０１１３】
ブランキング生成部１９０は、ブランキング部分に、ブランキングの信号レベルを入力し、拡大縮小された補正入力映像信号と合成または上書きする。
【０１１４】
これにより、表示検出信号および補正レベル生成部を利用せず、実施の形態１から４と同様に、表示画面の略中心から周辺に向けて光量を低下させる傾斜ゲインにより、ブランキング部分に生じる輝度変化を抑制することで、画質が劣化することを防止する。
【産業上の利用可能性】
【０１１５】
本発明にかかる映像信号表示装置は、実使用を考えた場合、入力映像信号によらず、光量が一定になる表示部分(ブランキング部分など)は、均一色で表示される場合が多く存在している。表示画面の略中心から周辺に向けて、光量が低下する傾斜ゲインを用いた処理において、従来、ブランキング部分に輝度変化が生じ画質劣化になっていた。
【０１１６】
本発明はブランキング部分の輝度変化を抑制することで、画質劣化を防止する。また入力映像信号を表示するディスプレイやテレビ以外にも、録画機器等に保存する際に、応用すること出来るさらに、電力一定制御がある場合、傾斜ゲインを用いた処理を用いると、省電力処理ではなく、明るさ感が向上する処理として利用することが出来る。
【図面の簡単な説明】
【０１１７】
【図１】実施の形態１に係る映像信号表示装置の構成を示すブロック図
【図２】表示モードが４：３表示である場合の表示画面を示した説明図
【図３】（ａ）表示モードがPoP表示である場合の表示画面を示した説明図（ｂ）表示モードが２画面表示モード表示である場合の表示画面を示した説明図
【図４】（ａ）表示画面に対する空間形状図（ｂ）傾斜距離rに対する表示画面に入力される信号レベルの形状図（ｃ）傾斜距離rに対する傾斜ゲインの形状図
【図５】（ａ）表示画面に対する空間形状図（ｂ）傾斜距離rに対する表示画面に入力される信号レベルの形状図
【図６】補正レベル生成部がセレクタであるブロック図
【図７】実施の形態２に係る映像信号表示装置の構成を示すブロック図
【図８】実施の形態３に係る映像信号表示装置の構成を示すブロック図
【図９】実施の形態４に係る映像信号表示装置の構成を示すブロック図
【図１０】特徴量に対する動的最大輝度低下量の関係を示す図
【図１１】実施の形態５に係る映像信号表示装置の構成を示すブロック図
【図１２】従来の映像信号表示装置の構成を示すブロック図
【符号の説明】
【０１１８】
１００    映像信号処理部
１１０    傾斜ゲイン生成部
１１１    動的傾斜ゲイン生成部
１２０    表示検出信号生成部
１２１    ブランキング検出部
１２２    無変化部分検出部
１３０    補正レベル生成部
１３１    補正レベル生成部(２値セレクター)
１４０    信号レベル補正部
１５０    特徴量抽出部
１７０    サイドブランキング
１８０    拡大縮小変換部
１９０    ブランキング生成部
２００    映像信号表示部
３００    チューナ
４００    操作部
６００    映像信号表示装置
【図１】
2007104377.tif 000017
【図２】
2007104377.tif 000018
【図３】
2007104377.tif 000019
【図４】
2007104377.tif 000020
【図５】
2007104377.tif 000021
【図６】
2007104377.tif 000022
【図７】
2007104377.tif 000023
【図８】
2007104377.tif 000024
【図９】
2007104377.tif 000025
【図１０】
2007104377.tif 000026
【図１１】
2007104377.tif 000027
【図１２】
2007104377.tif 000028